(57)【要約】【課題】本発明は、つぼ探索を簡単に行い得るようにした単コード型つぼ探索子に関するものである。【解決手段】ペン型ハウジングを構成する電気不導体の本体と、該ペン型ハウジング内に設置され、一方の端部を該ペン型ハウジングの先端に設けたペン先部の先端開口部から突出させた筒状の不関電極と、前記筒状の不関電極の中空部に挿通され、一方の端部が不関電極のペン先部の先端開口部から突出した端部位置に達する長尺棒状の探索子とからなる一対の電極と、前記一対の電極にそれぞれ接続され、１本にまとめられた状態でペン型ハウジングから外部に送出されたコードと、前記コードを介して一対の電極と接続される電流検知装置とからなり、かつ前記一対の電極を前記ペン先部の先端開口部の、外径約２ｍｍの径内に置くことにより、施術者のみでつぼの探索を可能としたことを特徴とする単コード型つぼ探索子。【選択図】図１
2018057458.tif 000002
【特許請求の範囲】
【請求項１】
ペン型ハウジングを構成する電気不導体の本体と、該ペン型ハウジング内に設置され、一方の端部を該ペン型ハウジングの先端に設けたペン先部の先端開口部から突出させた筒状の不関電極と、前記筒状の不関電極の中空部に挿通され、一方の端部が不関電極のペン先部の先端開口部から突出した端部位置に達する長尺棒状の探索子とからなる一対の電極と、前記一対の電極にそれぞれ接続され、１本にまとめられた状態でペン型ハウジングから外部に送出されたコードと、前記コードを介して一対の電極と接続される電流検知装置とからなり、かつ前記一対の電極を前記ペン先部の先端開口部の、外径約２ｍｍの径内に置くことにより、一対の電極を極めて近く配置して一体型とすることで患者の手を煩わせることなく施術者のみでつぼの探索を可能としたことを特徴とする単コード型つぼ探索子。
【請求項２】
前記長尺棒状の探索子は、該探索子の周面を絶縁体で被覆していることを特徴とする請求項１に記載の単コード型つぼ探索子。
【請求項３】
前記長尺棒状の探索子は、該探索子の周面に絶縁塗料を塗布していることを特徴とする請求項１に記載の単コード型つぼ探索子。
【発明の詳細な説明】
【技術分野】
【０００１】
本発明は、生体に電圧を与えた時、生体のつぼの位置に流れる電流が他のつぼ以外の位置に流れる電流よりも大きいこと、即ち、つぼ部分の電気抵抗が小さいこと、を利用して生体のつぼを探索する単コード型つぼ探索子に関するものである。
【背景技術】
【０００２】
つぼは周囲の皮膚となんらかの異なった点があり、その一つに電気抵抗が低いことがある。つぼ探索器はほとんどすべてこの性質を利用して皮膚の電気抵抗の低いところを探すものであり、本発明の原理も同様である。
従来のつぼ探索器は全て、不関電極、探索子、電流計又は電流感知装置からなり、不関電極を患者の手に握らせ、探索子端部を患者の皮膚に当てて、電流計等によって皮膚電気抵抗の低いところを探すものである。この場合、これらの部品を接続するためのコードが複数本必要となる。
【０００３】
ところで鍼治療のため従来のつぼ探索器は、不関電極、探索子、電流計をそれぞれコードで電気接続したものであるが、施術者がつぼを探索するに際して不関電極を患者の手に握らせる必要があることから、患者の手を煩わせることになり、このような状況の改善は患者のみならず施術者の側からも強く望まれている。また電流計と各部品とを電気的に接続するための複数のコードが必要であり、施術の際にこのコードが邪魔になることが多く、断線による故障のもとにもなる。
【先行技術文献】
【特許文献】
【０００４】
【特許文献１】特開昭５９−２２５５１号公報
【特許文献２】特開平９−２３４２３５号公報
【特許文献３】特許第３０５６２３８号公報
【特許文献４】実開昭５０−１５８４９３号公報
【特許文献５】実開昭５５−１８０４２８号公報
【特許文献６】実開昭５７−１０７５３３号公報
【特許文献７】実開昭５７−１０７５３４号公報
【特許文献８】実開昭６３−７１００５号公報
【発明の概要】
【発明が解決しようとする課題】
【０００５】
従来のペンシル型つぼ探索器では、握り電極とペンシル型の探索棒の先端電極とが本体から出された二本のコードにおける各先端に接続されたものからなり、一方の手に握り電極を握り、他方施術者の手で持った探索器先端の電極を皮膚に当ててつぼを探索し、この探索中に、本体に装備した電流計、音響器、又は小電球の発光灯等の電流感知装置に生ずる変化を監視しながらつぼの位置を確定していた。
なお、皮膚電流抵抗は部位により異なり個人差もあるので、探索中本体に設置されたバリオームで感度を調節することが多い。
【０００６】
本発明の単コード型つぼ探索子は、不関電極と探索子とをペン型ハウジングに内蔵した一体型とすることによって、不関電極を患者の手に持たせる必要がなくなり患者の手を煩わせる事態を解消することができるだけでなく、さらに、不関電極と探索子にそれぞれ接続されたコードを従来の電流感知装置に接続して使用することができるため、経済性にも優れている。
【課題を解決するための手段】
【０００７】
前記目的を達成するために本発明の単コード型つぼ探索子は、ペン型ハウジングを構成する電気不導体の本体と、該ペン型ハウジング内に設置され、一方の端部を該ペン型ハウジングの先端に設けたペン先部の先端開口部から突出させた筒状の不関電極と、前記筒状の不関電極の中空部に挿通され、一方の端部が不関電極のペン先部の先端開口部から突出した端部位置に達する長尺棒状の探索子とからなる一対の電極と、前記一対の電極にそれぞれ接続され、１本にまとめられた状態でペン型ハウジングから外部に送出されたコードと、前記コードを介して一対の電極と接続される電流検知装置とからなり、かつ前記一対の電極を前記ペン先部の先端開口部の、外径約２ｍｍの径内に置くことにより、一対の電極を極めて近く配置して一体型とすることで患者の手を煩わせることなく施術者のみでつぼの探索を可能としたことを特徴とするものである。
【０００８】
また、本発明の単コード型つぼ探索子においては、前記長尺棒状の探索子は、該探索子の周面を絶縁体で被覆していることをも特徴とするものである。
また、本発明の単コード型つぼ探索子においては、前記長尺棒状の探索子は、該探索子の周面に絶縁塗料を塗布していることをも特徴とするものである。
【発明の効果】
【０００９】
以上の説明から理解できるように、本発明の単コード型つぼ探索子はペン型ハウジングからなる本体、及びハウジングの先端のペン先部から突出した筒状の不関電極と、筒状の不関電極の中空部に設置した一方の電極である探索子とで形成し、この形成された本体内からコードを送出して電流感知装置と接続するように構成したものであり、患者の手に不関電極を握らせるという行為が不要となって、患者の手を煩わせることなく、施術者のみでつぼの探索が可能となり、さらに、コードを使用することによって既存の電流感知装置を使用することができるため、経済性にも優れた効果が備えられている。
【図面の簡単な説明】
【００１０】
【図１】本発明のペンシル型の単コード型つぼ探索子の概略斜視図である。
【図２】その概略中央断面斜視図である。
【図３】本発明のペンシル型の単コード型つぼ探索子をコードを介して電流感知装置に接続しようとする状態を示す概略正面図である。
【図４】その概略要部断面図である。
【図５】そのコード端部のプラグが複数である概略正面図である。
【図６】（ａ）はペン先部の概略要部断面図、（ｂ）は筒状電極の突出端部および探索子の端部の皮膚に接触する面の概略図である。
【図７】（ａ）は鍼治療の際に使われる鍼管を説明するための概略断面図、（ｂ）はその先端の端面図である。
【図８】従来のペンシル型のつぼ探索器の概略正面である。
【発明を実施するための形態】
【００１１】
以下、本発明の単コード型つぼ探索子に係る実施の形態を図面に基いて詳細に説明する。
図１〜２は本発明の単コード型つぼ探索子の概略斜視図およびその概略縦断面斜視図であり、電気不導体、例えばプラスチックのペン型ハウジング１１からなる本体１０を備え、前記ハウジング部１１の皮膚に接触する端部にはテーパ状のペン先部１２を形成してある。また、前記ハウジング部１１内には導電性の筒状電極２１と長尺棒状の探索子２３が互いに接することなく取り付けられて、一対の電極を構成している。
前記ペン先部１２には、テーパ状のすぼまりの先端部分に外径約２ｍｍの開口部１３を設けてあり、前記筒状電極２１の一端部が該開口部１３から外部に突出するようにしてある。２２は、該筒状電極の突出端部である。
【００１２】
前記長尺棒状の探索子２３は、前記筒状電極２１の中空内部において、筒状電極２１の突出端部２２の位置まで挿通されており、他端部は筒状電極２１の外部まで延伸するようにしてある。そして、筒状電極２１、探索子２３のハウジング部１１内部側のそれぞれの端部において、コード３１，３１が接続してある。
前記コード３１，３１は、前記ハウジング部１１内において１本にまとめられており、ハウジング部１１の端部に設けられた開口部１４から外部に送出されている。
【００１３】
ここで、本実施例においては、前記長尺棒状の探索子として、周面にエナメル等の絶縁塗料２４が塗布された銅線を使用している。すなわち、周面が絶縁体で被覆された探索子を前記筒状電極の中空内部に挿通することで、探索子と筒状電極とを極めて近くに配置することができるようになるのである。さらに、前記絶縁体をエナメル等の絶縁塗料２４とすることにより、探索子の周面を被覆する絶縁体の厚みを薄くすることができ、探索子と筒状電極とで構成された一対の電極の患者の皮膚に触れる面積を極小化することが可能となっている。
【００１４】
なお、前記筒状電極２１は、樹脂製等の絶縁体１５を介してハウジング部１１内に固定されており、同様に、前記長尺棒状の探索子２３については、前記筒状電極２１と接触しないように探索子周面をエナメル等の絶縁塗料で被覆してある。このように、筒状電極２１の突出端部２２においても、筒状電極２１と探索子２３は互いに接触することなく、前記ペン先部１２のテーパ状のすぼまりの先端部分の開口部１３の外径約２ｍｍに収まることができ、一体型のつぼ探索子として、患者の手を煩わせることなく、施術者が患者に気兼ねなくつぼの探索が可能となっている。
【００１５】
図３〜４は本発明の単コード型つぼ探索子に係る正面図、概略要部断面図であり、図５は、コード端部を２つのプラグからなるようにした正面図である。
図３〜４に示すように、単コード型つぼ探索子本体１０は、前記ハウジング部１１内に筒状電極２１と探索子２３を互いに接触しないように備えており、該筒状電極２１と探索子２３のハウジング部１１内側の端部においてそれぞれコード３１が接続してある。該コード３１，３１は前記ハウジング部１１内において１本にまとめられており、ハウジング部１１の端部に設けられた開口部１４から外部に送出されている。
該コード３１，３１の外部に送出された端部にはプラグ３２が設けられており、当該プラグ３２を介して電流感知装置４１に接続される。このとき、電流感知装置４１としては、既存の電流感知装置を使用することができるため、既存のつぼ探索器の電極部分のみを本発明に交換することで直ちに使用することができ、経済性に優れたものとなっている。
なお、図５に示すように、電流感知装置４１の構造にあわせて前記コード３１の端部のプラグ３２を２つとすることもできる。
【００１６】
次に、図６（ａ）は、本発明の単コード型つぼ探索子の要部拡大断面図、（ｂ）は筒状電極の突出端部および探索子の端部が皮膚に接触する面の概略図である。前記単コード型つぼ探索子の本体１０において、ハウジング部１１とその先端に設けられたペン先部１２は一体的に構成されており、前記ハウジング部１１内において筒状電極２１および探索子２３が互いに接触しないように設けられている。また、ペン先部１２のテーパ状のすぼまりの先端位置に外径約２ｍｍの開口部１３を設けてあり、前記ハウジング部１１内に収納された筒状電極２１の端部を該開口部１３から外部に向かって突出することができるようになっている。
【００１７】
ここで、前記筒状電極２１は、絶縁体１５を介してハウジング部１１内に固定され、一端部は前記ペン先部１２の先端に設けた開口部１３から所定長さ突出され、他端部は前記ハウジング部１１内においてコード３１が接続されている。また、探索子２３は、前記筒状電極２１の中空部内において、一端部を筒状電極２１の突出端部２２の位置まで挿通され、他端部は前記ハウジング部１１内においてコード３１が接続されている。このとき、探索子２３は、筒状電極２１と電気的に接触しないようにするため、前記長尺棒状の探索子として、周面にエナメル等の絶縁塗料２４が塗布された銅線を使用している。すなわち、周面が絶縁体で被覆された探索子を前記筒状電極の中空内部に挿通することで、探索子と筒状電極とを極めて近くに配置することができるようになるのである。さらに、前記絶縁体をエナメル等の絶縁塗料２４とすることにより、探索子の周面を被覆する絶縁体の厚みを薄くすることができ、探索子と筒状電極とで構成された一対の電極の患者の皮膚に触れる面積を極小化することが可能となっている。
図６（ｂ）は、前記筒状電極２１および探索子２３の端部が患者の皮膚に当接する面の概略図である。
【００１８】
なお、図７（ａ），（ｂ）に示すように、鍼治療の際に使われる鍼管１０１の内径は２．５ｍｍであって、刺鍼の際には鍼１０２の先端がその範囲内のどこに当たるかは予測できないが、これでも十分実用的である。したがって、本発明の機器を使用してつぼが外径約２ｍｍの点の中にあることがわかれば、つぼが探索子の端部、外側輪の筒状電極のいずれにあっても実用上はほとんど差支えない。
また、一般につぼの拡がりは少なくとも径２．５ｍｍあると考えられるので探索子の陽極陰極共に同一のつぼに当たっている可能性も高く、その場合は一層強い電流が流れることになり、つぼの探索に著しく便利である。
【００１９】
図８は、従来のつぼ探索器の概略構成図である。
従来のつぼ探索器は、図８に示すように、電流感知装置１１１と、不関電極１１２と、探索子１１３と、それらの接続コード１１４，１１４から構成されており、つぼの探索に際しては、不関電極１１２を患者の手に持たせた上で、施術者は探索子１１３を患者の患部の周辺に当接させ、電流感知装置１１１の反応を見ながら患者のつぼの位置を探索していた。このとき、患者の手に不関電極１１３を持たせる行為については、患者の手を煩わせることとなるため、患者および施術者からこのような行為の省略が強く要請されていた。
【産業上の利用可能性】
【００２０】
以上の説明から理解できるように、本発明の単コード型つぼ探索子は、筒状電極からなる不関電極と探索子とをペン型ハウジング部に収納して一体型とすることによって、特に患者の手に持たせる煩わしさを解消し、なおかつ、施術者が患者に気兼ねなく患者のつぼの位置を探索でき、さらに、不関電極と探索子にそれぞれ接続されたコードをペン型ハウジングの内部において一本にまとめてから外部に送出させるようにしたことで既存の電流感知装置を使用することができる等の利便性・経済性に優れた効果を達成できる。
【符号の説明】
【００２１】
１０  本体
１１  ペン型ハウジング部
１２  ペン先部
１３  ペン先部の先端開口部
１４  開口部
１５  絶縁体
２１  筒状電極
２２  筒状電極の突出端部
２３  探索子
２４  絶縁塗料
３１  コード
３２  プラグ
４１  電流感知装置
１０１  鍼管
１０２  鍼
１１１  電流感知装置
１１２  不関電極
１１３  探索子
１１４  接続コード
【図１】
2018057458.tif 000003
【図２】
2018057458.tif 000004
【図３】
2018057458.tif 000005
【図４】
2018057458.tif 000006
【図５】
2018057458.tif 000007
【図６】
2018057458.tif 000008
【図７】
2018057458.tif 000009
【図８】
2018057458.tif 000010